【事件の表示】
　特願２００９−１９７４３０「表示装置」拒絶査定不服審判事件〔平成２３年　３月１０日出願公開、特開２０１１−　４８２０４〕について、次のとおり審決する。
【結　論】
　本件審判の請求は、成り立たない。
【理　由】
１　手続の経緯
　本願は，平成２１年８月２７日の出願であって，特許請求の範囲について平成２６年１月２７日付けで補正がなされ，同年２月１８日付け（送達：同年同月２５日）で拒絶査定がなされ，これに対し，同年５月９日に拒絶査定不服審判が請求されると同時に特許請求の範囲について補正（以下，「本件補正」という。）がなされたものである。
　
２　補正却下の決定
　本件補正を却下する。
［理由］
（１）補正の内容
　本件補正は，特許請求の範囲の請求項１を，次のとおり補正するものである。
（補正前）
「第１の画像を表示する第１表示部と，
　第２の画像を表示する第２表示部と，
　前記第１表示部および前記第２表示部を制御する制御部と，を有し，
　前記制御部は，前記第２の画像の一部を前記第１表示部に前記第１の画像として表示させ，前記第２の画像の前記第１の画像として表示させている部分の外周には，表示枠を表示し，
　該表示枠は，○型，星形，ハート形のいずれかであることを特徴とする表示装置。」
（補正後）
「第１の画像を表示する第１表示部と，
　第２の画像を表示する第２表示部と，
　前記第１表示部および前記第２表示部を制御する制御部と，を有し，
　前記制御部は，前記第２の画像の一部を前記第１表示部に前記第１の画像として表示させ，前記第２の画像の前記第１の画像として表示させている部分の外周には，表示枠を表示し，
　該表示枠は，丸型，星形，ハート形のいずれかであ
り，
　前記制御部は，前記表示枠または前記第２の画像が，予め設定された時間継続して操作されないことを検出した場合は，前記第２表示部に，前記第２の画像の一部が前記第１表示部に前記第１の画像として表示させている旨を表示する，
　
（２）補正の適否
　まず，本件補正後の請求項１における「前記制御部は，前記表示枠または前記第２の画像が，予め設定された時間継続して操作されないことを検出した場合は，前記第２表示部に，前記第２の画像の一部が前記第１表示部に前記第１の画像として表示させている旨を表示する」との事項（以下，「補正事項」という。）が，願書に最初に添付した明細書，特許請求の範囲又は図面（以下，「当初明細書等」という。）に記載した事項の範囲内であるか否かについて検討する。
　上記補正事項は，「前記第２の画像の一部が前記第１表示部に前記第１の画像として表示させている旨」が「前記第２表示部」に表示されるとの技術事項を含んでいる。ここで，該「第２表示部」が表示枠内の領域のみに限られる理由は無く，第２表示部の任意の領域を含むものであると認められる。
　一方，上記補正事項の根拠として請求人は，審判請求書において，
「（２）補正の根拠の明示
　同日付けで提出した手続補正書における補正事項は，出願当初の明細書の００５２段落等の記載に基づいて補正したものです。」（５頁１７〜１９行）
　と主張しているところ，該段落００５２の記載は次のとおりである。
「【００５２】
　また，表示装置は，表示枠及び／または表示枠内のウインドウの操作が設定された時間行われなかったら，表示部の表示枠及び／または表示枠内の画像を表示させないようにしてもよい。つまり，ブランク画像を表示させるようにしてもよい。なお，ブランク画像に変えて，表示部の表示枠内の領域にスクリーンセーバや，ブランク画像に携帯表示部に表示されている画像部分である旨のメッセージを加えた画像を表示させるようにしてもよい。このように，表示部の所定の領域に操作が入力されなかった場合は，携帯表示部に表示されている画像と異なる画像を表示させることで，一定時間操作されていないことを通知することができる。また，ブランク画像やスクリーンセーバを表示させることで装置に残像が残ることを抑制することができる。」
　上記段落００５２の記載を検討するに，補正事項の「前記第２の画像の一部が前記第１表示部に前記第１の画像として表示させている旨を表示する」という構成は，段落００５２の「ブランク画像に携帯表示部に表示されている画像部分である旨のメッセージを加えた画像を表示させる」という構成に対応すると認められるところ，「
表示部の表示枠内の領域に
旨のメッセージを加えた画像を表示させるようにしてもよい。」
　また，本願明細書の他の記載を参酌しても，上記「ブランク画像に携帯表示部に表示されている画像部分である旨のメッセージを加えた画像」が，「第２表示部」の領域のうちの「表示枠内の領域」以外の領域に表示されるものとは認められない。
　してみると，「前記第２の画像の一部が前記第１表示部に前記第１の画像として表示させている旨」が「前記第２表示部」に表示されるとの技術事項は，当初明細書等のすべての記載を総合することにより導かれる技術的事項との関係において新たな技術的事項を導入するものである。
　
（３）まとめ
　以上のとおり，本件補正は，当初明細書等の記載の範囲内においてしたものではない。
　よって，本件補正は，特許法第１７条の２第３項の規定に違反するものであるから，同法第１５９条第１項において読み替えて準用する同法第５３条第１項の規定により却下すべきものである。
　
３　本願発明について
（１）本願発明
　本件補正は上記のとおり却下されたので，本願の請求項１に係る発明は，平成２６年１月２７日付けで補正された明細書，特許請求の範囲及び図面の記載からみて，その特許請求の範囲の請求項１に記載された事項により特定される次のとおりのものである。
「第１の画像を表示する第１表示部と，
　第２の画像を表示する第２表示部と，
　前記第１表示部および前記第２表示部を制御する制御部と，を有し，
　前記制御部は，前記第２の画像の一部を前記第１表示部に前記第１の画像として表示させ，前記第２の画像の前記第１の画像として表示させている部分の外周には，表示枠を表示し，
　該表示枠は，○型，星形，ハート形のいずれかであることを特徴とする表示装置。」（以下，「本願発明」という。）
　
（２）原査定の拒絶の理由
　原査定の拒絶の理由は，概略，本願発明は，本願出願前に国内又は外国において頒布された刊行物である引用文献１（特開２００４−８６２７７号公報），引用文献２（特開平１０−６２８６５号公報）に記載された発明及び周知技術に基づいて当業者が容易に発明をすることができた，というものである。
　
（３）引用発明及び周知技術
Ａ　引用発明
　原査定の拒絶の理由に引用され，本願出願前に国内又は外国において頒布された刊行物である特開２００４−８６２７７号公報（発明の名称：情報処理装置，プロジェクタシステム及びプログラム　出願人：セイコーエプソン株式会社　公開日：平成１６年３月１８日，以下，「引用例」という。）には，次の事項（ａ）ないし（ｃ）が図面とともに記載されている。
　
（ａ）「【００２３】
【発明の実施の形態】
実施形態１．
図１は本発明の実施形態１に係るプロジェクタシステムの説明図である。このプロジェクタシステムは，プロジェクタ１００とＰＣ２００とを備えている。両者はそれぞれに設けられたＵＳＢコネクタ１１１，２６１にＵＳＢケーブル１５０が接続され，プロジェクタ１００とＰＣ２００とはＵＳＢケーブル１５０を介して接続されている。このＰＣ２００は本発明の情報処理装置に相当するものである。
【００２４】
図２は図１のプロジェクタ１００の構成図である。プロジェクタ１００は，光学系として，表示デバイス１０１（１０１Ｒ，１０１Ｇ，１０１Ｂ），光源１０２及び投射レンズ１０３を備えている。また，プロジェクタ１００は，ＵＳＢコネクタ１１１，ＵＳＢコントローラ１１２，ＬＣＤ駆動回路１１３，バス１１４，フレームメモリ１０５（１０５Ｒ，１０５Ｇ，１０５Ｂ），ＣＰＵ１０７，パラメータメモリ１０８，メモリ１０９，ＤＣ／ＤＣコンバータ１２０及び内蔵電池１２１を備えている。
【００２５】
プロジェクタ１００の表示デバイス１０１としては，ＬＣＤ（Ｌｉｑｕｉｄ　ｃｒｙｓｔａｌｄｉｓｐｌａｙ）を利用したもの（このＬＣＤはライトバルブと称される）や光変調素子であるＤＭＤ（Ｄｉｇｉｔａｌ　Ｍｉｃｒｏ　Ｍｉｒｒｏｒ　Ｄｅｖｉｃｅ　テキサスインスツルメント社の登録商標）等がある。表示デバイス１０１としてどれを用いてもよいが，本実施形態においてはＬＣＤを用いた例について説明する。なお，ＬＣＤを用いたプロジェクタでも，単板式（１枚の液晶パネルを用いるもの）や３板式（Ｒ，Ｇ，Ｂに対応する３枚の液晶パネルを用いるもの）等があるが，ここでは３板式のものについて説明する。」
　
（ｂ）「【００４０】
次に，ＰＣ２００の詳細について説明する。本実施形態において，ＰＣ２００はＬＣＤ駆動回路（ＬＣＤＣ）１１３に供給する画像データをＵＳＢケーブル１５０を介して供給するホストとして機能するので，ホストとしての情報処理装置は，ＰＣだけでなく，携帯電話，デジタルカメラ，ＰＤＡ，その他ＵＳＢを備えた電子機器であって，映像ソースを有しているものであれば何でもよい。上記の各種の電子機器はＣＰＵ，ＵＳＢ，表示デバイス等を備えており広義の意味でＰＣであることには代わりはない。しかし，ここでは代表的な例としてＷＩＮＤＯＷＳ（登録商標）（以下，同様である）搭載のＰＣについて説明する。
【００４１】
ＰＣ２００はハードウェア構成として概ね次のデバイスで構成される。まず，メインの処理を行うＣＰＵとプログラムメモリ，処理用メモリ，キーボードやＤＶＤ機器などを制御するＩＯコントローラ，ＨＤＤやＦＤＤ，ＣＤ−ＲＯＭなどの外部記憶装置（ＤＶＤが含まれてももちろんかまわない），内蔵するディスプレイや外部にアナログＲＧＢを経由して画像データを出力するためのグラフィックコントローラ，ＵＳＢコントローラや電源回路等である。なお，このハード構成自体は一般的なものである。
【００４２】
図６はＰＣ２００に搭載されるソフトウェアの構成図である。ハードウェア２００ａの構成は上述のように従来のものと同じであるが，ソフトウェア２００ｂについては次のような特徴がある。外部記憶装置に記憶され，内蔵メモリに展開されて動作を行うベースのソフトウェアとして，ハードウェアと密接に関係のあるＢＩＯＳ（ｂａｓｉｃ　ｉｎｐｕｔ／ｏｕｔｐｕｔ　ｓｙｓｔｅｍ）２０１，システム管理や基本的なユーザー操作環境を提供するソフトウェアであるＯＳ（ｏｐｅｒａｔｉｎｇ　ｓｙｓｔｅｍ）２０２，そして，ＯＳ２０２の上にのって各種アプリケーションを提供するアプリケーションプログラム２０３がある。その他に，周辺機器などを管理するためのデバイスドライバー（図示せず）も存在している。表示部に限って説明すると，ＰＣ２００に搭載されるグラフィックボードはそのハードウェアに対応するグラフィックドライバー２０４を提供する。ＢＩＯＳ２０１は主としてメインボード上に搭載されているデバイスを管理するため，表示の関係では，ＯＳ２０２がインストールされる前までの簡易的な機能（設定画面を表示したりする機能）を備えるのみである。
【００４３】
プロジェクタ１００とＰＣ２００とを接続するＵＳＢ（ＵＳＢケーブル１５０）に関しては，ＵＳＢの各機能に応じたＵＳＢドライバー２０５等がインストールされる。本実施形態では，プロジェクタ１００とＰＣ２００との間は固有のデータ処理を行うので，まず最初にＵＳＢドライバー２０５をインストールしなければならない。ただし，ＯＳ側であらかじめ準備されている場合はこの限りではない。
【００４４】
また，本実施形態においては，上記のグラフィックドライバー２０４とＯＳ２０２の間に仮想グラフィックコントローラ２０６を設けて，全画面動作を認識する。それと同時にＯＳ２０２上にある１つのアプリケーションプログラムとして存在している。この状態で，たとえばＰＣ２００でパワーポイント（ＰＯＷＥＲＰＯＩＮＴ，マイクロソフト社）などを立ち上げてプレゼンテーションを行うと，画面データは自動的に最適なデータに加工されて，ＵＳＢを経由して，プロジェクタ１００のＬＣＤ駆動回路（ＬＣＤＣ）１１３に入力される。
【００４５】
上記の仮想グラフィックコントローラ２０６を更に詳細に説明する。ＯＳ２０２は，アプリケーションプログラム２０３から画面変更の依頼を受けると，ＯＳ２０２はグラフィックコントローラ２５２に対して書き換えを依頼する。このＯＳ２０２の命令を間に仮想的に入った仮想グラフィックコントローラ２０６が受け取り，画面状態を把握しつつ本来のグラフィックドライバー２０４に制御を渡す。このような機能はいわゆるフックと呼ばれるものである。この機能は画面書き換えを判別するためであり，全画面キャプチャの繰り返しであれば，必要ない。転送レートが低い場合，差分データを検出して送信するような場合に必要になる。
【００４６】
また，本実施形態においては，プロジェクタコントロールアプリケーションプログラム（以下，ＰＪＡプログラムという）２１０がインストールされる。これはアプリケーションプログラムの一つである。使用者は明示的にこのＰＪＡプログラム２１０を立ち上げる必要がある。但し，スタートアップに入れておけば，電源投入時に立ちあがるのはいうまでもない。ＰＪＡプログラム２１０が立ちあがると上記仮想グラフィックコントローラ２０６の機能も有効となる。両プログラムは同時に使用される。因みにＵＳＢドライバー２０５はＵＳＢケーブル１５０が接続された際に不明なデバイスとして検出されてその際にインストールされてもよいし，予めインストールされておりＵＳＢケーブル１５０が接続されたときに該当するドライバーが認識され有効となってもよい。ＵＳＢに関しては，ＰＪＡプログラム２１０と同期関係はないことに注意する必要がある（ＵＳＢの接続状態と同期関係にある。）。
【００４７】
ＰＪＡプログラム２１０はＰＣ２００上のアプリケーションプログラムとして存在できるので，さまざまな機能を実現できる。例えば，選択された画面を抜き出して表示する，ＤＶＤのソースに応じて画面データを修正して表示する，映像ソースに応じて各種画像パラーメータを自動的に変更して表示する等である。更に，ネットワークにつながる昨今では，ネットワークと接続し，映像ソースとその映像ソースに付随する画像パラメータを受信してストリーミングで表示する，等各種アプリケーションが考えられる。特定の画像データ出力から汎用のデータ転送線に接続を入れ替えることで，画像データの確かな受け渡しと共に，全てがデジタルでかつ内蔵するグラフィックボードの機能に制限されない各種アブケーションの展開を可能にする。」
　
（ｃ）「【００６９】
次に，本実施形態における特徴部分について説明する。本実施形態においては，画像加工手段２１３にガイダンス枠設定手段２２５を設けている。ガイダンス枠設定手段２２５によってＰＣ２００の表示画面の表示領域を枠によって特定し，映像制御部２２０はその枠内の領域の画像を切り取ってその画像データをプロジェクタ１００の表示デバイス１０１の大きさに拡大し，データ送受信手段２１４はその加工データをプロジェクタ１００側に送信するようにしている。
【００７０】
図９はＰＣ２００の動作の概要を示した説明図である。画像加工手段２１３は差分データ検出手段２１２により表示画面の変更が認識されると，ＵＳＢドライバー２０３を経由して画面データをプロジェクタ１００側に送信する。また，プロジェクタ１００のためのメニュー画面を表示し，例えばガイダンス枠設定手段２２５によってＰＣ２００の表示画面の或る領域をガイダンス枠により特定すると，その枠の画像の画像データを切り出して，画像加工手段２１３に対して画像加工の要求がなされる。画像加工手段２１３はその切り出された画像データを保存するとともに，表示デバイス１０１の大きさに拡大する加工を施し，データ送受信手段２１４はその加工データをプロジェクタ１００側に送信するようにしている。
【００７１】
図１０及び図１１は本実施形態において画像データをＰＣ２００からプロジェクタ１００に送信する際の処理を示したフローチャートである。図１２はＰＣ２００の表示画面の説明図，図１３（Ａ）（Ｂ）はプロジェクタ１００側の投射画面である。
【００７２】
（Ｓ１１）ＰＣ２００のスタートアップにはＰＪＡプログラム（図においてはＰＪＡと記述してある）２１０が設定されているものとする。ＰＣ２００の電源がオンすると，例えばスタートアップに設定してあったＰＪＡプログラム２１０が起動し，以降常駐することになる。
（Ｓ１２）ここでは例えばプロジェクタ１００を使用してプレゼンテーションを行うものとし，プレゼンテーションのためのソフトウェアを起動させる。
（Ｓ１３）操作者により指定されたファイルを開いてプレゼンテーションを開始する。
【００７３】
（Ｓ１４）ＰＣ２００とプロジェクタ１００とをＵＳＢケーブル１５０で接続する。プロジェクタ１００のデータラインの電位が変化し，ＰＣ２００はその電位変化を検出することにより，ＵＳＢケーブル１５０の接続を認識する。
（Ｓ１５）ＰＣ２００はＵＳＢドライバー２０５をロードするとともに，ＵＳＢを初期設定する。
【００７４】
（Ｓ１６）ＰＣ２００は上記の処理によりＵＳＢの設定が完了する。
（Ｓ１７）ＵＳＢの設定が完了すると，ＰＪＡプログラム２１０はＵＳＢの接続完了を認識する。
（Ｓ１８）ＵＳＢの設定が完了すると，ＰＣ２００とプロジェクタ１００との間の初期設定を行う。例えばＰＪＡプログラム２１０は，プロジェクタ１００に対して初期パラメータの送信要求を行い，プロジェクタ１００からパラメータメモリ１０８に保存されている初期パラメータが送信されてくると，それを読み込んで，ＰＣ内の設定領域に保存する。この処理はパラメータ送受信手段２１６によってＵＳＢを経由して行われる。また，ＰＪＡプログラム２１０は，プロジェクタ１００に対して電源オンコマンドを送信させる。この処理はデータ送受信手段２１４によってＵＳＢを経由して行われる。なお，プロジェクタ１００はこの電源オンコマンドを受信すると，光源１０２に駆動電圧を印加して発光させる。
【００７５】
（Ｓ１９）ＰＪＡプログラム２１０は，ＰＣ画面の画像データをキャプチャしてＰＣ内に保存する。この処理は全画面キャプチャ手段２１１によって行われる。
（Ｓ２０）ＰＪＡプログラム２１０は画像データを加工する（リサイズ等）。即ち，映像調整部２４０は，フリーズ，ミュート，ズーム及びエフェクトについて設定されたパラメータに基づいて画像データを加工する。また，映像パラメータ制御部２４０に含まれた，台形補正手段２３１，リサイズ補正手段２３２，ガンマ補正手段２３３及び色むら補正手段２３４はそれぞれについて設定されたパラメータに基づいて処理を行って画像データ（画面データ）を加工する。更に，映像調整部２４０はシャープネス，明るさ等のそれぞれについて設定されたパラメータ基づいて画像データを加工する。
（Ｓ２１）ＰＪＡプログラム２１０は，加工された画像データをＵＳＢ経由でプロジェクタ１００側に送信する。この送信処理は，データ送受信手段２１４により行われる。プロジェクタ１００側では，ＳＢコントローラ１１２がＰＣ２００からの画像データを受信してバス１１４を介してＬＣＤ駆動回路１１３に出力し，ＬＣＤ駆動回路１１３はその画像データを入力すると復号化して，画像データをフレームメモリ１０５に描画していく。そして，ＬＣＤ駆動回路１１３は，表示デバイス（ＬＣＤ）１０１のタイミングに合わせて，フレームメモリ１０５に描画された画像の画像データを表示デバイス（ＬＣＤ）１０１に送信することにより，表示デバイス１０１に画像が生成されて，その画像がスクリーン１２２に拡大投射される。
【００７６】
（Ｓ２２）ＰＪＡプログラム２１０は，ＰＣ２０００の画像データ（画面データ）が変化すると，差分データ検出手段２１２は仮想グラフィックコントローラ２０６経由で差分データを検出し，データ送受信手段２１４によりプロジェクタ１００側に画像データを送信させる。プロジェクタ１００側では，ＳＢコントローラ１１２がＰＣ２００からの画像データを受信してバス１１４を介してＬＣＤ駆動回路１１３に出力し，ＬＣＤ駆動回路１１３は差分データがもっている座標データにより特定される領域に差分データを上書きする。そして，ＬＣＤ駆動回路１１３は，表示デバイス（ＬＣＤ）１０１のタイミングに合わせて，フレームメモリ１０５に描画された画像データを表示デバイス（ＬＣＤ）１０１に送信することにより，表示デバイス１０１に画像が生成されて，その画像がスクリーン１２２に拡大投射される。
【００７７】
（Ｓ２３）ＰＣ２００の表示画面に表示されたＰＪメニュー２９９のガイダンス枠選択アイコン３００（図１２参照）を選択すると，ガイダンス枠選択アイコン３００は選択された状態の表示になる。例えば反転表示等の表示になる。なお，このガイダンス枠選択アイコン３００はＰＣ２００側にのみ表示され，プロジェクタ１００側には表示されない（図１３（Ａ）参照）。
【００７８】
（Ｓ２４）ここで例えばマウスの左ボタンを選択すると，ＰＣ２００の表示画面にのみガイダンス枠３０１が表示される（図１２参照）。
（Ｓ２５）ここで例えばＰＣ２００のマウスを移動すると，ガイダンス枠３０１が拡大，縮小，移動表示する。
（Ｓ２６）ＰＣ２００のマウスを離すと，ガイダンス枠３０１が確定する（大きさ及び位置）。
（Ｓ２７）ガイダンス枠設定手段２２５は，ガイダンス枠３０１の画面上の位置情報を所得する。
（Ｓ２８）ガイダンス枠設定手段２２５は，対応する位置情報内の画像データ，即ちガイダンス枠３０１内の画像データを切り出す。
【００７９】
（Ｓ２９）映像制御部２２０は，上記の処理（Ｓ２８）で切り出された画像データを表示画面に対応するように「ズーム」の処理を行う。ガイダンス枠３０１が小さい程拡大率が大きくなる。この映像制御部２２０の処理はＰＣ２００の表示画面に対応した処理であるから，映像パラメータ制御部２３０のリサイズ手段２３２は映像制御部２２０の処理により拡大又は縮小された加工された画像データを，更にプロジェクタ１００の表示デバイス１０１で規定されている解像度に合わせて拡大，又は縮小する処理を行う。このとき，映像制御部２２０，映像パラメータ２３及び映像調整部２４０による他の処理も上記の場合と同様にしてなされる。
【００８０】
（Ｓ３０）画像加工手段２１３は上記の処理（Ｓ２９）で加工された画像データをプロジェクタ１００側に送信する。プロジェクタ１００側では，ＳＢコントローラ１１２がＰＣ２００からの画像データを受信してバス１１４を介してＬＣＤ駆動回路１１３に出力し，ＬＣＤ駆動回路１１３は，表示デバイス（ＬＣＤ）１０１のタイミングに合わせて，フレームメモリ１０５に描画された画像の画像データを表示デバイス（ＬＣＤ）１０１に送信することにより，表示デバイス１０１に画像が生成されて，その画像がスクリーン１２２に拡大投射される。従って，スクリーン１２２には，図１３（Ａ）のように表示されていたものが，図１３（Ｂ）に示されるように，ガイダンス枠３０１の領域の画像がスクリーン１２２に対応した大きさで表示されることになる。
【００８１】
以上のように本実施形態においては，ガイダンス枠により特定された画像データを加工し，プロジェクタ１００側の表示デバイス１０１の仕様に合わせた画像データを生成してプロジェクタ１００側に送信し，プロジェクタ１００の側にスクリーン１２２にガイダンス枠の画像が表示されるので，ＰＣ２００の表示画面の任意の画像をプロジェクタ１００側に表示させることができるようになった。」
　
・上記記載（ａ），（ｃ）及び【図２】によれば，プロジェクタ１００の表示デバイス１０１には，スクリーン１２２に拡大投射される画像が表示されるが，この画像は「投射用画像」と言うことができるから，
　「投射用画像を表示するプロジェクタ１００の表示デバイス１０１」
　との技術事項が読み取れる。
・上記記載（ｂ）及び【図１】，【図８】によれば，ＰＣ２００はディスプレイを備えるが，該ディスプレイに表示される画像は「ＰＣ画像」と言うことができるから，
　「ＰＣ画像を表示するＰＣ２００のディスプレイ」
　との技術事項が読み取れる。
・上記記載（ｂ），（ｃ）及び【図６】，【図９】ないし【図１１】によれば，ＰＣ２００においてメインの処理を行うＣＰＵ及び表示に関連するハードウエア及びソフトウェアは，ＰＣ２００のディスプレイを制御するほか，プロジェクタ１００の表示デバイス１０１に表示される画像データを送信しているが，上記「ＰＣ２００においてメインの処理を行うＣＰＵ及び表示に関連するハードウエア及びソフトウェア」は「ＰＣ２００の制御部」と言えるから，
　「前記プロジェクタ１００の表示デバイス１０１にＰＣ画像の画像データを送信し，前記ＰＣ２００のディスプレイを制御する，ＰＣ２００の制御部」，
　「前記ＰＣ２００の制御部は，前記ＰＣ画像の一部を前記プロジェクタ１００の表示デバイス１０１に投射される画像として表示させ」
　との技術事項が読み取れる。
・上記記載（ｃ）及び【図１０】ないし【図１２】によれば，上記「ＰＣの制御部」が実行する処理として，
　「前記ＰＣ画像の前記投射される画像として表示させている部分の外周には，ガイダンス枠３０１を表示し」
　との技術事項が読み取れる。
・上記【図１２】によれば，
　「ガイダンス枠３０１は矩形である」
　との技術事項が読み取れる。
　
　以上を総合勘案すると，引用例には次の発明が記載されているものと認める。
　
「投射用画像を表示するプロジェクタ１００の表示デバイス１０１と，
　ＰＣ画像を表示するＰＣ２００のディスプレイと，
　前記プロジェクタ１００の表示デバイス１０１にＰＣ画像の画像データを送信し，前記ＰＣ２００のディスプレイを制御する，ＰＣ２００の制御部と，を有し，
　前記ＰＣ２００の制御部は，前記ＰＣ画像の一部を前記プロジェクタ１００の表示デバイス１０１に投射用画像として表示させ，前記ＰＣ画像の前記投射用画像として表示させている部分の外周には，ガイダンス枠３０１を表示し，
　該ガイダンス枠３０１は矩形である，プロジェクタシステム。」（以下，「引用発明」という。）
　
Ｂ　周知技術
　例えば，いずれも原査定で引用され，本願出願前に国内又は外国において頒布された刊行物である特開２００８−１１３４４号公報（以下，「周知例１」という。）には次の事項（ａ），（ｂ）が，特開平７−４４１４３号公報（以下，「周知例２」という。）には次の事項（ｃ），（ｄ）が図面とともに記載されている。
　
（ａ）「【００２３】
  図２（ａ）〜（ｃ）及び図３（ａ）〜（ｃ）は一実施形態の表示装置２０における別の表示例を示す説明図である。
  図２（ａ）は第２表示エリアのサイズや表示比率を変更した場合の表示例を示している。例えば，表示装置２０に表示された第１表示エリア２１に表示された観察対象に対し，その一部をマウス（外部の入力装置１５ｂの一例）で所定領域２２ａとして選択した場合について説明する。該操作後，制御部１４は入力された所定領域２２ａの全体を撮像した画像をフレームメモリ１３より読み出し，所定領域２２ａに対応する分切り取り，マウスが選択した所定領域２２ａと同じ縦横比を持つ第２表示エリアが表示装置２０に表示される。第２表示エリア２２の縦横比がマウスにより変化された場合には，その変化に合わせ所定領域２２ａの枠に対し，縦横比及び表示倍率が変化する。」
　
（ｂ）「【００３８】
  ・教示マークを矩形枠状としたが，丸，三角，などの任意な形の枠状としてもよい。また，教示マークは領域を示す枠状に限らず，領域の中心に表示された丸などの図形（内部が塗りつぶし又は所定のパターンが表示された図形を含む），任意の文字，としても良い。」
　
（ｃ）「【００４９】実施例１０
次に，第１０の実施例について説明する。
【００５０】図２０は本発明の動作を表す流れ図である。図２３は本装置の概略図を示しており，４６は本装置を制御するＣＰＵであり，図２０に示した制御手順を内蔵ＲＯＭに記憶してある。４７は各デバイスを接続するバス，４８は画面上の座標を入力するポインティングデバイス，４９は表示装置，５０はメインメモリである。このメインメモリ５０には拡大される領域と表示枠の中心点Ｏの座標Ｏ（ｘ０，ｙ０）や，拡大率Ｂの情報が保存される。
【００５１】図２４は画面に表示されるアイコンメニューであり，虫眼鏡アイコン５１をポインティングデバイス４８（ここではマウスとする）で選択することにより本装置による処理が開始される。
【００５２】図２５は拡大する場所を指定し，かつ拡大された画像を表示するための虫眼鏡型の表示枠である。ここで，５２は拡大画像を表示するための枠で，５３の領域に拡大画像が表示される。また，５４は虫眼鏡の柄を表しており，この部分をマウスで操作することで拡大率を変化させたり，拡大領域を移動させたりする。
【００５３】図２６は本実施例において画像を拡大する様子を示しており，図２５に示した虫眼鏡型の表示枠と，拡大された画像を示してある。」
　
（ｄ）「【００８７】実施例１０においては虫眼鏡枠を円形としたが，本実施例では，図３８に示すように虫眼鏡の枠７１の形を円形ではなく，方形にしている。枠の形を切り替えられるようにしておくことで，拡大したい図形に合った枠の形が選べ，画面領域を効率的に使用することが出来る。」
　
　上記記載（ａ）ないし（ｄ）及び図面の記載を総合勘案すると，上記周知例１，２に記載されているように，
「表示部に表示させている画像の特定の部分の外周に表示する表示枠の形状を，矩形，丸形，三角形等任意の形状とすること。」（以下，「周知技術」という。）
　は，表示装置の技術分野において周知の技術である。
　
（４）対比
　本願発明と引用発明とを，主たる構成要件毎に順次対比する。
　引用発明における「投射用画像」，「プロジェクタ１００の表示デバイス１０１」，「ＰＣ画像」，「ＰＣ２００のディスプレイ」は，本願発明の「第１の画像」，「第１表示部」，「第２の画像」，「第２表示部」にそれぞれ相当する。
　引用発明の「ＰＣ２００の制御部」は，「ＰＣ２００のディスプレイを制御する」ことに加え，「プロジェクタ１００の表示デバイス１０１にＰＣ画像の画像データを送信」することによって該「プロジェクタ１００の表示デバイス１０１」にＰＣ画像を表示させ，実質的に「プロジェクタ１００の表示デバイス１０１」を制御しているから，本願発明の「制御部」に相当するものと言える。
　引用発明の「ガイダンス枠」は，形状的な相違はあるものの，表示画像上で特定の領域を指し示すという機能面で本願発明の「表示枠」に相当すると言え，また，引用発明の「矩形」と本願発明の「○型，星形，ハート形のいずれか」とは，「特定の形状」の点で共通する。
　引用発明の「プロジェクタシステム」は明らかに「表示装置」と言い得るものである。
　
　してみると，両者の一致点及び相違点は，以下のとおりである。
　
（一致点）
「第１の画像を表示する第１表示部と，
　第２の画像を表示する第２表示部と，
　前記第１表示部および前記第２表示部を制御する制御部と，を有し，
　前記制御部は，前記第２の画像の一部を前記第１表示部に前記第１の画像として表示させ，前記第２の画像の前記第１の画像として表示させている部分の外周には，表示枠を表示し，
　該表示枠は，特定の形状である表示装置。」
　
（相違点）
　表示枠の「特定の形状」が，本願発明では「○型，星形，ハート形のいずれかである」のに対し，引用発明では「矩形」である点。
　
（５）判断
　上記相違点について検討する。
　まず，「（３）引用発明及び周知技術」の「Ｂ．周知技術」に記したように，表示装置の技術分野において，「表示部に表示させている画像の特定の部分の外周に表示する表示枠の形状を，矩形，丸形，三角形等任意の形状とすること。」は周知技術である。そして，上記周知例２に「拡大したい図形に合った枠の形が選べ，画面領域を効率的に使用することが出来る」（段落【００８７】）と示唆されているように，引用発明のガイダンス枠の形状も，プロジェクタ１００で投射したい画像に応じて丸形等の任意の形状が選択できることを勘案すれば，引用発明のガイダンス枠の「矩形」に代えて，本願発明の表示枠のように「○型，星形，ハート形のいずれかである」ようにすることは，上記周知技術に基づいて当業者が容易に想到し得たものである。
　そして，本願発明の作用効果も，引用発明及び周知技術から当業者が予測可能なものであって格別のものではない。
　
４　むすび
　以上のとおり，本願発明は，引用発明及び周知技術に基づいて当業者が容易に発明をすることができたものであるから，特許法第２９条第２項の規定により特許を受けることができない。
　したがって，他の請求項に係る発明について審理するまでもなく，本願は拒絶すべきものである。
　よって，結論のとおり審決する。